(57)【要約】【課題】  排泄物、とくに軟便を確実に内部に吸収保持し、着用者の体圧や動きによってかかる排泄物が逆戻りして着用者の肌を汚すことを防止した使い捨ての吸収性物品を提供する。【解決手段】  少なくとも、表面側に配置されるトップシートと、裏面側に配置されるバックシートと、前記シート間に介在された吸収体とにより物品本体が構成され、該物品本体の臀部当接部に便ポケットを設けて成る使い捨ての吸収性物品において、前記便ポケットの開口部をメッシュシートにより被覆する。【選択図】図１
2006136702.tif 000002
【特許請求の範囲】
【請求項１】
少なくとも、表面側に配置されるトップシートと、裏面側に配置されるバックシートと、前記シート間に介在された吸収体とを具備することにより物品本体が構成され、該物品本体の臀部当接部に排泄物を収納保持する便ポケットを設けて成る使い捨ての吸収性物品において、前記便ポケットの開口部をメッシュシートにより被覆して成ることを特徴とする吸収性物品。
【請求項２】
前記便ポケットの開口部は前記メッシュシートと前記トップシートとにより被覆されていることを特徴とする請求項１に記載の吸収性物品。
【請求項３】
前記排泄物は前記便ポケットにおける前記メッシュシートと前記トップシートとの間に収納されることを特徴とする請求項２に記載の吸収性物品。
【請求項４】
前記便ポケットの開口部は前記メッシュシートのみで被覆されていることを特徴とする請求項１に記載の吸収性物品。
【請求項５】
前記メッシュシートは開口率が１５〜３０％であることを特徴とする請求項１ないし請求項４のいずれかに記載の吸収性物品。
【請求項６】
前記便ポケットの開口部は、その断面形状が前記物品本体の表面側に向かって末広がり状に形成されていることを特徴とする請求項１ないし請求項５のいずれかに記載の吸収性物品。
【請求項７】
製品状態において、前記物品本体の長手方向に二つ折りに折り畳まれた形態とすることを特徴とする請求項１ないし請求項６のいずれかに記載の吸収性物品。
【請求項８】
前記吸収性物品は、前記物品本体の背部側領域の両端部に一端部が固定され、他端部に止着部を有するファスニングテープを、前記物品本体の腹部側領域の外面に固定されるフロンタルテープに止着して装着するテープ式のおむつであることを特徴とする請求項７に記載の吸収性物品。
【発明の詳細な説明】
【技術分野】
【０００１】
本発明は、紙おむつ、幼児用のトレーニングパンツ、あるいは失禁パッド等の使い捨ての吸収性物品に関し、更に詳細には、尿や便等の排泄物、とくに軟便が逆戻りして着用者の肌を汚すことを防止した使い捨ての吸収性物品に関する。
【背景技術】
【０００２】
吸収性物品は、通常、少なくとも、表面側に配置される透液性のトップシートと、裏面側に配置される不透液性のバックシートと、これらの両シート間に介在された吸収体とにより物品本体が構成されており、排泄物がトップシートを介して吸収体に吸収、保持されるようになっている。
【０００３】
従来、このような吸収性物品として、排泄物、とくに便を溜めて保持する目的で、着用者の臀部が当接する物品本体の領域、具体的には着用者の排便口が当接する吸収体の部位に便を収納保持する便溜め部（以下、これを「便ポケット」という）を設けて成る吸収性物品が一般に知られている。
【０００４】
例えば、特許文献１には、便ポケットを吸収体の上面から窪む凹部と、この凹部の周縁を区画する隆起部とで構成して成る使い捨ておむつが提案されており、また特許文献２には、便ポケットを上層と下層の２層で構成した吸収体の上層部に形成して成る使い捨ておむつが提案されている。
【０００５】
しかしながら、これらの吸収性物品、すなわち使い捨ておむつは、いずれも、排泄物が便ポケットの外周方向に漏れ出すことは防止できるが、便ポケットの開口部が露出しているため、便ポケットに収納保持された排泄物が直接ないし逆流して着用者の肌に接触して汚れるという欠陥があった。とくに、着用者の体圧や動き等により吸収性物品が所定の位置からずれると、この排泄物による汚れが広がってしまい、このような状態が長く続いた場合には皮膚炎やかぶれ等を生じることがあり、また介護者の後始末が非常に面倒となる等の問題があった。
【０００６】
そこで、従来、このような排泄物の肌への接触を防止するため、特許文献３には、便ポケットを複数層の吸収体で構成すると共にこの吸収体とトップシートの間に排泄物を通過、収納するためのポケット状の空間を形成して成る吸収性物品が提案されている。しかしながら、特許文献３に記載された吸収性物品では、便ポケットを複数層の吸収体で構成するため構造が複雑となり、製造コストが高価となることに加え、排泄物が開口部を介してポケット状の空間に収納されるために、この開口部から排泄物が着用者の体圧や動きによって逆戻りするという懸念は依然としてあった。
【０００７】
一方、特許文献４には、図１９に断面図で示すように、透液性トップシート１と不透液性バックシート２との間に介在された吸収体３により物品本体４が構成され、この物品本体４の臀部当接部に凹状の便ポケット５を設けて成る使い捨ての吸収性物品において、中央部に開孔７を有する透液性トップシート１を開口部６の中心方向に延在させて形成した弁部８により、便ポケット５の開口部６を被覆して成る吸収性物品が提案されている。しかしながら、特許文献４に記載された吸収性物品においても、便ポケット５の中央部に排泄物を内部に収納するための開孔７が設けられているため、この開孔７から排泄物が逆戻りすることを確実に防止することは困難であった。
【０００８】
また、このような吸収性物品は、その製品時における包装状態（以下、「製品状態」と言う。）においては、包装パッケージを取り扱い易くしたり、占有空間を小さくするために、例えば特許文献５に示されるように、物品本体の長手方向に三つ折り以上に小さく折り畳まれることが多く、また、このように折り畳まれた吸収性物品は、包装容量をより小さくするために、厚み方向へ強く圧縮されることが多く、これにより吸収性物品に、折り癖やしわが形成されてしまう。
【０００９】
しかし、上述したように便ポケットが設けられた吸収性物品が三つ折り以上に折り畳まれると、折り癖が便ポケットにかかってしまい皺ができ、これにより便ポケットが変形してしまう。従って、排泄物がトップシートから便ポケットに移行しにくくなり、また、便ポケットの容積が小さくなるため、排泄物が収納されにくくなり、便ポケットの外周方向に漏れ出してしまうという問題があり、便ポケットを設ける効果を十分に得ることができなかった。
【特許文献１】実開平５−８６３２０号公報
【特許文献２】特許第３０１２４７２号公報
【特許文献３】特許第３３２７９３９号公報
【特許文献４】実開平６−５６１４号公報
【特許文献５】特開２０００−２４０３０号公報
【発明の開示】
【発明が解決しようとする課題】
【００１０】
本発明は上述したような実情に鑑みてなされたもので、その目的とするところは、排泄物、とくに軟便を確実に内部に吸収保持し、着用者の体圧や動きによってこの排泄物が逆戻りして着用者の肌を汚すことを防止した使い捨ての吸収性物品を提供することにある。
【課題を解決するための手段】
【００１１】
本発明の上記目的は、少なくとも、表面側に配置されるトップシートと、裏面側に配置されるバックシートと、前記シート間に介在された吸収体とを具備することにより物品本体が構成され、該物品本体の臀部当接部に排泄物を収納保持する便ポケットを設けて成る使い捨ての吸収性物品において、前記便ポケットの開口部をメッシュシートにより被覆して成ることを特徴とする吸収性物品を提供することにより達成される。
【００１２】
また、本発明の上記目的は、前記便ポケットの開口部は前記メッシュシートと前記トップシートとにより被覆されていることを特徴とする吸収性物品を提供することにより、効果的に達成される。
【００１３】
また、本発明の上記目的は、前記排泄物は前記便ポケットにおける前記メッシュシートと前記トップシートとの間に収納されることを特徴とする吸収性物品を提供することにより、より効果的に達成される。
【００１４】
また、本発明の上記目的は、前記便ポケットの開口部は前記メッシュシートのみで被覆されていることを特徴とする吸収性物品を提供することにより、より効果的に達成される。
【００１５】
また、本発明の上記目的は、前記メッシュシートは開口率が１５〜３０％であることを特徴とする吸収性物品を提供することにより、より効果的に達成される。
【００１６】
また、本発明の上記目的は、前記便ポケットの開口部は、その断面形状が前記物品本体の表面側に向かって末広がり状に形成されていることを特徴とする吸収性物品を提供することにより、より効果的に達成される。
【００１７】
また、本発明の上記目的は、製品状態において、前記物品本体の長手方向に二つ折りに折り畳まれた形態とすることを特徴とする吸収性物品を提供することにより、より効果的に達成される。
【００１８】
さらにまた、本発明の上記目的は、前記吸収性物品は、前記物品本体の背部側領域の両端部に一端部が固定され、他端部に止着部を有するファスニングテープを、前記物品本体の腹部側領域の外面に固定されるフロンタルテープに止着して装着するテープ式の使い捨ておむつであることを特徴とする吸収性物品を提供することにより、より効果的に達成される。
【発明の効果】
【００１９】
上述したように、本発明に係る吸収性物品は、便ポケットの開口部をメッシュシートにより被覆するように構成されているので、メッシュシートを介して便ポケット内部に収納された排泄物、とくに軟便はメッシュシートにより着用者の肌と完全に隔離される。したがって、本発明に係る吸収性物品によれば、排泄物が着用者の体圧や動きによって逆戻りすることが防止され、着用者の肌を清潔に保つことができるので衛生的であり、また、後始末が容易となる利点がある。
【００２０】
とくに、便ポケットの開口部をメッシュシートだけで被覆するようにした吸収性物品によれば、排泄物の吸収性を向上させることができると共に、メッシュシート素材の使用面積、すなわち使用量が低減されるため製造コストを低減させることができる。
【００２１】
また、開口率が１５〜３０％、好ましくは１８〜２０％であるメッシュシートを用いて成る吸収性物品によれば、排泄物の吸収性を最良の状態に保つことができ、かつ排泄物の逆戻りを最小限に抑えることができる。
【００２２】
また、便ポケットの開口部の断面形状を物品本体の表面側に向かって末広がり状に形成して成る吸収性物品によれば、排泄物を便ポケット内に収納し易くなると共に、操業的な観点から現実性があるという利点がある。
【００２３】
さらにまた、本発明に係る吸収性物品、とくにテープ式の使い捨ておむつを、製品状態において、物品本体の長手方向に二つ折りに折り畳まれた形態とすることによって、折り曲げ部に折り癖が形成されても、この折り癖が便ポケットにかかることがないので、便ポケットにしわが形成されず、便ポケットが変形することがない。従って、排泄物が便ポケットの外周方向の漏れ出すことを防止することができる。
【発明を実施するための最良の形態】
【００２４】
以下、本発明の内容を好ましい実施形態に基づき説明する。なお、本発明は必ずしも以下の実施形態に限定されるものではなく、特許請求の範囲を逸脱しない範囲において、その構成を種々に変更できるものであることはいうまでもない。
【００２５】
図１は、本発明の吸収性物品の第１実施形態であるテープ式の使い捨ておむつ（以下、「本おむつ」という）１００Ｖ１を展開して表面側（肌当接面側）から見た平面図であり、図２は本おむつ１００Ｖ１の使用時における斜視図である。
【００２６】
図１に示すように、本おむつ１００Ｖ１は、表面側に配置されるトップシート１０１と、裏面側に配置されるバックシート１０２と、これらの両シート１０１，１０２間に介在された吸収体１０３とによりおむつ本体１０４が構成され、おむつ本体１０４の臀部当接部位、具体的には着用者の排便口が位置する吸収体１０３の部位には排泄物を収納保持する便ポケット１０５が設けられている。この便ポケット１０５の開口部１０６の上面は、おむつ本体１０４の長手方向に延びてトップシート１０１の上面に貼着された矩形状のメッシュシート１０７によって被覆されている。
【００２７】
おむつ本体１０４は平面形状が擬似砂時計形状とされ、吸収体１０３の両側縁長手方向には、表面側に設けられたギャザーシート１０８と、その内側端縁に沿って配設された弾性伸縮部材１０９とにより表面側に起立する立体ギャザー１１０が形成されている。吸収体１０３の側縁よりも側方に延在されたバックシート１０２部分と、立体ギャザーシート１０８の外側シート部分とにより吸収体１０３の介在しないサイドフラップ部１１１が形成され、かつこれらの間に複数本の弾性伸縮部材１０９がおむつ本体１０４の長手方向に沿って配置されることにより、サイドフラップ部１１１にはひだ状の平面ギャザー１１２が形成されている。
【００２８】
本おむつ１００Ｖ１の背部側領域１００Ｂの幅方向には、複数本の弾性伸縮部材１０９が配設され、これによりエンドフラップ部１１３Ｂが形成されている。また、おむつ本体１０４の背部側領域１００Ｂにおける左右の張り出し部、すなわちサイドパネル部１１４の幅方向端部にはオス材１１５を備えたファスニングテープ１１６が連結されている。さらにまた、裏面側の腹部側領域１００Ｆ、すなわち腹部側領域１００Ｆのバックシート１０２には、表面にメス材１１７を有する矩形状のフロンタルテープ１１８が貼着されており、図２に示すように、ファスニングテープ１１６のオス材１１５がこのフロンタルテープ１１８のメス材１１７にメカニカルに係合することにより、ファスニングテープ１１６がフロンタルテープ１１８に止着され、本おむつ１００が着用される。なお、フロンタルテープ１１８の表面には、必要に応じ、ファスニングテープ１１６の止着位置を表示した止着位置マークや幼児が好む動物等の絵柄から成るデザインが施される。
【００２９】
なお、本おむつ１００Ｖ１では、バックシート１０２と吸収体１０３との間に防水フィルム１１９が配設されているが、この防水フィルム１１９は、トップシート１０１と吸収体１０３との間に配設されるセカンドシートの場合と同様に、必要に応じ適宜に設けられるものである（本おむつ１００Ｖ１ではこのセカンドシートは配設されていない）。
【００３０】
本おむつ１００Ｖ１では、トップシート１０１の構成材料として、無孔または有孔の不織布や多孔性プラスチックシート等の、透液性や親水性を有する材料が好ましく用いられる。この不織布を構成する素材繊維としては、例えばポリエチレンまたはポリプロピレン等のオレフィン系、ポリエステル系、アミド系等の合成繊維の他、レーヨンやキュプラ等の再生繊維、綿等の天然繊維とすることができる。また、融点の高い繊維を芯とし、融点の低い繊維を鞘とした芯鞘型繊維やサイド・バイ・サイド型繊維、分割型繊維等の複合繊維も効果的に用いることができる。加工法については、スパンレース法、スパンボンド法、サーマルボンド法、メルトブローン法、ニードルパンチ法等の適宜な加工方法で得られた不織布を用いることができる。これらの加工法のうち、スパンレース法は柔軟性、ドレープ性に富む点で優れ、サーマルボンド法は嵩高でソフトである点で優れているが、本おむつ１００Ｖ１におけるトップシート１０１は、必ずしもこれらの材料ないし加工法に限定されるものではない。
【００３１】
バックシート１０２及び防水フィルム１１９には、ポリエチレン、ポリプロピレン等のプラスチックシートや不織布等から成る不透液性材料、またはこれと同等の材料が好ましく用いられる。この他、例えばポリプロピレンまたはポリオレフィンコポリマーから成るメルトブローンまたはフィルム材料が挙げられる。コポリマーの例としては、エチレン・ビニル・アセテート、エチレン・メチル・アセテート、エチレン・エチル・アクリレート、ポリビニル・クロライド等がある。また、上記各材料から成る単一のスパンボンディッド層、スパンボンディッド及びメルトブローン材料から成る２つの層等が挙げられる。このようなスパンボンディッド材料を用いることによりバックシート１０２に布状の手触り感を与えることができる。なお、バックシート１０２の材料には、不透液性を有する材料以外に、ムレ防止等の観点から通気性、透湿性を有するシート材料が適用される。このようなシート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。このように不透液性、通気性、透湿性を有するシート材料はとくに防水フィルム１１９に好適に用いられる。
【００３２】
吸収体１０３としては、排泄物（とくに尿や便に含まれる水分等の体液）を吸収、保持し得るものであればよく、通常はフラッフ状パルプ中に吸収性ポリマー粉末を混在したものが吸収機能及び価格の点から好適に用いられる。このようなパルプとしては、木材から得られる化学パルプ、溶融パルプ等のセルロース繊維や、レーヨン、アセテート等の人工セルロース繊維から成るものが挙げられ、広葉樹パルプよりは繊維長の長い針葉樹パルプが機能及び価格の点から好適に用いられる。本おむつ１００における吸収体１０３は、形状保持、及び排泄物（とくに尿や便に含まれる水分等の体液）を速やかに拡散させると共に、一旦吸収した排泄物の逆戻りを防止する目的で全体がクレープ紙等の吸水紙１０３Ｃによって被包され、平面形状が矩形状に形成されている。なお、おむつ自体の目的や用途により、吸水紙１０３Ｃは省略されることがあり、また、吸収体１０３の平面形状も、おむつ本体１０４と同様の擬似砂時計形状や、小判型あるいは瓢箪型等の任意の形状に設計変更される。前述したように、この吸収体１０３の臀部当接部には、便ポケット１０５が設けられているが、この詳細は後述する。
【００３３】
メッシュシート１０７には、不織布またはプラスチックフィルム、さらにはこれらの素材をラミネートして成る厚みが０．１〜５．０ｍｍ、好ましくは０．３〜２．０ｍｍの肌触りのよいシート材が用いられ、このシート材の全面には、当分野で周知のピンエンボス加工、あるいは吸引による方法等により微細な網目状のメッシュ（開口）領域１０７Ｍが形成されている。
【００３４】
このメッシュ領域１０７Ｍの開口率は１５〜３０％に、好ましくは１８〜２０％に設定されており、開口数は１５個／ｃｍ２以下に、好ましくは６〜１２個／ｃｍ２に設定されている。また、この開口の大きさは、直径が０．１〜１０．０ｍｍ、好ましくは０．１５〜５．５ｍｍに設定されている。なお、メッシュシート１０７の表面の親水性についてはレギュラー親水性ないし撥水性であることが好ましく、親水度が高過ぎると排泄物、とくに軟便の水分が表面に拡散してしまい、便の固形分は吸収されていても水分の広がりが着用者の表面に見えて不快感を与えるので好ましくない。また、メッシュ（開口）の平面形状も円形に限らず、楕円形ほか任意の形状のものを適用することができる。
【００３５】
立体ギャザー１１０を形成するギャザーシート１０８としては、撥水性の不織布、あるいはプラスチックフィルム等が排泄物の漏れ防止の点で効果的である。従って、この素材にはかかる特性を有するもの、あるいはこれらの特性を加工により施したものが選ばれる。
【００３６】
弾性伸縮部材１０９には、通常、糸状弾性ゴムが適用される。このようなゴム材としては、スチレン系ゴム、オレフィン系ゴム、ウレタン系ゴム、エステル系ゴム、ポリウレタン、ポリエチレン、ポリスチレン、スチレンブタエン、シリコーン、ポリエステル等の素材を用いることができる。なお、この伸縮部材１０９の形成材料は必ずしもこのような材料に限定されるものではなく、例えば熱可塑性エラストマー、プラスチックシート、ゴムシート等の伸縮性を有する公知の種々のものを用いることができる。なお、これらの材料のなかでも、とくに熱可塑性エラストマーを用いることが好ましく、この熱可塑性エラストマーとしては、例えばスチレン系エラストマー、オレフィン系エラストマー、ポリブタジエン系エラストマー、ポリエステル系エラストマー、ポリアミド系エラストマー、ウレタン系エラストマー、塩化ビニル系エラストマー、フッ素系エラストマー、アイオノマー樹脂、シリコーン系樹脂等の公知の種々のものを用いることができる。また、これらの熱可塑性エラストマーは単独で用いてもよいが、２種以上を混合して用いてもよく、これらの中でも、とくにスチレン系エラストマー又はオレフィン系エラストマーを用いることが好ましい。
【００３７】
図３は、図１のＡ−Ａ断面矢視図で、本おむつ１００Ｖ１における便ポケット１０５の断面構造を示したものである。便ポケット１０５の開口部１０６は、図１に示すように、平面形状が物品本体１０４の臀部当接部（具体的には着用者の排便口が位置する吸収体１０３の部位）から背部側領域１００Ｂに向かって長さＬ、幅Ｗをもって形成された雫形状をなし、断面形状が深さＴをもってトップシート１０１側、すなわちおむつ本体１０４の表面側に向かって末広がり状に形成されている。この平面形状で雫形状をなす開口部１０６の開口面積Ｓは、吸収体１０３の全面積の１０〜２０％、好ましくは１２〜１５％（幼児用では少なくとも３０ｃｍ２）に設定され、また、長さＬ及び幅Ｗは少なくとも着用者の臀部の割れ目部分をカバーし、かつ、この臀部位置が長さ方向及び幅方向に幾分ずれてもカバーし得る値に設定されている。
【００３８】
吸収体１０３の厚みに等しい深さＴをもって、すなわち吸収体１０３に透孔を形成することにより便ポケット１０５が設けられ、この便ポケット１０５の全表面にトップシート１０１が被覆、貼着され、また便ポケット１０５の開口部１０６がメッシュシート１０７によって被覆されている。なお、この便ポケット１０５の容積は、幼児用では２０〜５０ｃｍ３に、大人用では５０〜１００ｃｍ３に設定されている。
【００３９】
ここに、開口部１０６の平面形状は、吸収体１０３に皺やよれを生じさせないようにするため、直線よりも曲線によって形成することが好ましい。また、断面形状は、上述したように、おむつ本体１０４の表面側に向かって末広がり状に形成することが好ましく、このようにすると、排便口から排泄された排泄物、とくに軟便がスムーズに便ポケット１０５に流れるようになり、また操業的観点からも現実性がある。
【００４０】
本おむつ１００Ｖ１は以上のとおり構成されているので、本おむつ１００Ｖ１によれば、排便口から排泄される排泄物、とくに軟便は、メッシュシート１０７のメッシュを通り、便ポケット１０５の開口部１０６のトップシート１０１の上面に収納される。このとき、排泄物に含まれる水分は吸水紙１０３Ｃを介して直ちに吸収体１０３に吸収保持される一方、固形分は開口部１０６を覆うようにして設けられたメッシュシート１０７によって着用者の肌から隔離され、これにより排泄物が逆戻りすることが防止される。また、着用者の体圧や動き等により本おむつ１００Ｖ１が所定の位置からずれたとしても、汚れが広がることがなく、着用者の臀部を常に清潔に保つことができるので、皮膚炎やかぶれの発生がなくなり、また介護者の後処理が楽になる等の利点がある。
【００４１】
以上、本発明の内容を第１実施形態について説明したが、本発明はその構成を以下のとおり種々なものに変更することができる。
【００４２】
図４は本発明の第２実施形態に係るテープ式の使い捨ておむつ（以下、「本おむつ１００Ｖ２」という）の断面図で、前記おむつ１００Ｖ１の断面図（図３）に準じて示したものである。本おむつ１００Ｖ２の基本的な構成は、便ポケット１０５及びこの周辺の構成を除き、前記おむつ１００Ｖ１と実質的に同一となっている。
【００４３】
図示するように、本おむつ１００Ｖ２は、吸収体１０３の所定部位に、吸収体１０３の厚み方向の途中までの深さＴを有する凹部を形成することにより便ポケット１０５が設けられ、この凹部の全表面にトップシート１０１が被覆、貼着され、便ポケット１０５の開口部１０６がメッシュシート１０７によって被覆されて成っている。このように便ポケット１０５が形成された本おむつ１００Ｖ２であっても、排泄物が排泄されると、直ちに、メッシュシート１０７を透過して便ポケット１０５に移行されるので、吸収性が極めて良好となる利点がある。
【００４４】
図５は本発明の第３実施形態に係るテープ式の使い捨ておむつ（以下、「本おむつ１００Ｖ３」という）を展開して表面側から見た平面図、図６は図５のＢ−Ｂ断面矢視図である。なお、本おむつ１００Ｖ３の基本的な構成は、前記おむつ１００Ｖ２と同様に、便ポケット１０５及びこの周辺の構成を除き、前記おむつ１００Ｖ１と実質的に同一となっている。
【００４５】
本おむつ１００Ｖ３は、メッシュシート１０７が便ポケット１０５の開口部１０６だけを覆うことができる程度の形状（本実施形態では矩形状）及び大きさに形成され、この開口部１０６を覆うようにしてメッシュシート１０７が貼着されて成っている。このように、本おむつ１００Ｖ３ではメッシュシート１０７の使用面積、すなわち使用量が必要最小限で構成されているので、この分だけ製造コストを低減することができる。
【００４６】
図７は本発明の第４実施形態に係るテープ式の使い捨ておむつ（以下、「本おむつ１００Ｖ４」という）を展開して表面側から見た平面図、図８は図７のＣ−Ｃ断面矢視図である。なお、本おむつ１００Ｖ４についてもその基本的な構成は、便ポケット１０５及びこの周辺の構成を除き、前記おむつ１００Ｖ１ないし１００Ｖ３と実質的に同一となっている。
【００４７】
本おむつ１００Ｖ４は、前記同様にメッシュシート１０７が便ポケット１０５の開口部１０６だけを覆うことができる程度の大きさに形成されているが、トップシート１０１にもこの開口部１０６と略同等形状の開口部１２０が形成され、このトップシート１０１の開口部１２０を覆うようにしてメッシュシート１０７が貼着されて成っている。このように、本おむつ１００Ｖ４では便ポケット１０５の開口部１０６がメッシュシート１０７だけで覆われた構造となっているので、排泄物が直接メッシュシート１０７を透過して便ポケット１０５に収納されるので、製造コストの低減に加え、前記おむつ１００Ｖ２と同様に吸収性が良好となる利点がある。
【００４８】
図９は本発明の第５実施形態に係るテープ式の使い捨ておむつ（以下、「本おむつ１００Ｖ５」という）を展開して表面側から見た平面図、図１０は図９のＤ−Ｄ断面矢視図である。なお、本おむつ１００Ｖ５についてもその基本的な構成は、便ポケット１０５及びこの周辺の構成を除き、前記おむつ１００Ｖ１ないし１００Ｖ４と実質的に同一となっている。
【００４９】
本おむつ１００Ｖ５は、便ポケット１０５の開口部１０６を覆うトップシート１０１の部位にメッシュ領域１０１Ｍを形成して成るもので、前述したメッシュシート１０７を一切使用しない点で前述した各おむつ１００Ｖ１ないし１００Ｖ４とは構成が異なっている。なお、このようにトップシート１０１の一部領域にメッシュ領域１０１Ｍを形成することは、前述したメッシュ化方法によって容易に実現することができる。本おむつ１００Ｖ５によれば、メッシュ化のための素材シート及びメッシュ化そのものが不要となるので、製造コストをさらに低減することができる。
【００５０】
また、本発明においては、メッシュシート１０７の構成は、例えば次の図１１から図１３におむつ本体の要部構造を平面図及び断面図で示すように、種々なものに変更することができる。
【００５１】
図１１（Ａ）はその第１変更例に係るメッシュシート１０７Ｖ１の平面図、（Ｂ）は（Ａ）のＥ−Ｅ断面矢視図である。すなわち、本メッシュシート１０７Ｖ１は、メッシュ領域１０７Ｍを便ポケット１０５の開口部１０６のみならず、素材シートの中央部の長手方向、すなわち排尿及び排便の流れる方向の全域に渡って形成したものである。
【００５２】
図１２（Ａ）はその第２変更例に係るメッシュシート１０７Ｖ２の平面図、（Ｂ）は（Ａ）のＦ−Ｆ断面矢視図である。本メッシュシート１０７Ｖ２は、素材シートにおけるメッシュ領域１０７Ｍを便ポケット１０５の開口部１０６を覆うことができる領域のみに矩形状に形成したものである。
【００５３】
図１３（Ａ）はその第３変更例に係るメッシュシート１０７Ｖ３の平面図、（Ｂ）は（Ａ）のＧ−Ｇ断面矢視図である。本メッシュシート１０７Ｖ３は、素材シートそのものを必要最小限の形状（本例では矩形状）及び大きさとすると共に、この素材シートの略中央部に便ポケット１０５の開口部１０６を覆うメッシュ領域１０７Ｍを開口部１０６の形状（本例では楕円状）に合致するように形成したものである。
【００５４】
これらの各メッシュシート１０７Ｖ１、１０７Ｖ２、１０７Ｖ３は、いずれも、所望の目的を達成することができるが、とくにメッシュシート１０７Ｖ３の場合には素材シートの使用量及びメッシュ加工量が少なくて済むので、製造コストの面で有利である。
【００５５】
さらにまた、本発明においては、吸収体１０３に設ける便ポケット１０５の形状を、例えば図１４（Ａ）（Ｂ）（Ｃ）（Ｄ）に平面形状で、図１５（Ａ）（Ｂ）（Ｃ）に断面形状で示すように、種々のものに変更することができる。
【００５６】
すなわち、図１４（Ａ）に示す第１変更例に係る便ポケット１０５Ｖ１は、開口部１０６Ｖ１の平面形状が背部側に向かって広がった三角形に形成されたもの、（Ｂ）に示す第２変更例に係る便ポケット１０５Ｖ２は、開口部１０６Ｖ２の平面形状が野球のホームベース形状に形成されたもの、（Ｃ）に示す第３変更例に係る便ポケット１０５Ｖ３は、開口部１０６Ｖ３の平面形状が楕円形に形成されたもの、そして（Ｄ）に示す第４変更例に係る便ポケット１０５Ｖ４は、開口部１０６Ｖ４の平面形状が背部側に向かって広がったハート形に形成されたものである。なお、前述したように、開口部１０６の平面形状は曲線によって形成することが好ましいが、図示するような種々の形状のものであっても実用することができる。
【００５７】
また、便ポケット１０５の断面形状については、図１５（Ａ）に示すように、深さＴをもっておむつ本体１０４の表面側に向かって末広がり状に形成することが好ましいことは前述したとおりであるが、これを（Ｂ）に示すように、吸収体１０３の厚み方向の途中まで深さＴ１をもって矩形状に形成したもの、（Ｃ）に示すように、吸収体１０３の厚み方向の途中まで深さＴ２をもって半球状に形成したもの、（Ｄ）に示すように、吸収体１０３の厚み分に等しい深さＴ３をもって吸収体１０３に透孔を設けて形成したものとすることができる。
【００５８】
以下、上述した本発明に係る吸収性物品の製品状態における折り畳み形態について詳述する。
【００５９】
図１６は上述した第１実施形態に係るテープ式の使い捨ておむつ１００Ｖ１の長手方向における断面図で、本おむつ１００Ｖ１の製品状態における断面構造を示したものである。
【００６０】
図１６に示されるように、製品状態において、本おむつ１００Ｖ１がおむつ本体１０４の長手方向に二つ折りに折り畳まれた形態であると、その折り曲げ部等に、いわゆる折り癖が形成されても、この折り癖が便ポケット１０５の開口部１０６にかかることがなく、便ポケット１０５に皺が生じない。従って、便ポケット１０５が変形することがなくなるので、後述する実施例で示すように、便ポケット１０５の外周方向に排泄物が漏れ出すことがなくなり、便ポケット１０５の容積が小さくなることがなくなる。また、便ポケット１０５の開口部１０６を覆う部分のメッシュシート１０７の開口が潰れることがなくなるので、本おむつ１００Ｖ１の表面上に排泄物が残留することがなくなる。これにより、排泄物が本おむつ１００Ｖ１の表面に広がることがなく、着用者の臀部を常に清潔に保つことができるので、皮膚炎やかぶれの発生をより防止することができ、また介護者の後処理がより楽になる等の利点がある。
【００６１】
なお、本発明の他の実施形態に係るテープ式の使い捨ておむつ１００Ｖ２〜１００Ｖ５も、本おむつ１００Ｖ１と同様に、製品状態において、おむつ本体１０４の長手方向に二つ折りに折り畳まれた形態とされることが好ましい。
【００６２】
また、この折り畳み形態は公知の種々の吸収性物品について適用することはできるが、とくにテープ式の使い捨ておむつであると、上述した製品状態における利点を得やすくなるので好ましい。
【実施例】
【００６３】
本発明に係る吸収性物品の製品状態における折り畳み形態の効果を確認するため、以下のように長手方向に二つ折りに折り畳んだ吸収性物品、及び長手方向に三つ折りに折り畳んだ吸収性物品を作製し、これらの各吸収性物品の見た目及び便の漏れにくさについて消費者調査を行なった。なお、本発明はこれらの実施例によって制限を受けるものではない。
【００６４】
この長手方向に二つ折りに折り畳んだ吸収性物品、及び長手方向に三つ折りに折り畳んだ各吸収性物品について、見た目及び便の漏れにくさについて消費者調査を行なった結果は、表１に示すとおりであった。なお、本実施例においては、吸収性物品として幼児用のテープ式の使い捨ておむつを使用した。
【００６５】
なお、表１中の「見た目」とは、各吸収性物品を一旦折り畳んだ後、展開した吸収性物品を表面側から見た場合の見た目の仕上りの良さを目視評価したもので、後述の便漏れにくさを実現する品質の安定性、すなわち見た目の安心感につながるものである。
【００６６】
また、「便漏れにくさ」とは、便ポケットの外周方向に排泄物が漏れ出る量を消費者が目視評価したものである。
【００６７】
これらの評価基準は５点の「非常に満足」、４点の「満足」、３点の「どちらともない」、２点の「不満」、１点の「非常に不満」の５段階とした。
【００６８】
【表１】
2006136702.tif 000003
表１から、吸収性物品の製品状態における折り畳み形態が二つ折りであると、見た目も良く、また、排泄物（特に便）が便ポケットから漏れにくいので、吸収性物品の表面に排泄物が広がることがなくなることが分かる。
【産業上の利用可能性】
【００６９】
以上、本発明の内容を幼児用あるいは大人用のテープ式の使い捨ておむつについて説明したが、本発明は、このようなテープ式の使い捨ておむつに限らず、これが図１７に斜視図で示すようなパンツ型の使い捨ておむつ１００Ｘ、あるいは図１８に示すような失禁パッド１００Ｙであってもよく、さらには幼児用のトレーニングパンツ等、当分野で公知の吸収性物品に適用できるものである。
【図面の簡単な説明】
【００７０】
【図１】本発明の第１実施形態に係るテープ式の使い捨ておむつの展開平面図である。
【図２】図１に示すおむつの使用時における斜視図である。
【図３】図１のＡ−Ａ断面矢視図である。
【図４】本発明の第２実施形態に係るテープ式の使い捨ておむつの断面図である。
【図５】本発明の第３実施形態に係るテープ式の使い捨ておむつの展開平面図である。
【図６】図５のＢ−Ｂ断面矢視図である。
【図７】本発明の第４実施形態に係るテープ式の使い捨ておむつの展開平面図である。
【図８】図７のＣ−Ｃ断面矢視図である。
【図９】本発明の第５実施形態に係るテープ式の使い捨ておむつの展開平面図である。
【図１０】図９のＤ−Ｄ断面矢視図である。
【図１１】（Ａ）本発明におけるメッシュシートの第１変更例を示す平面図、（Ｂ）は（Ａ）のＥ−Ｅ断面矢視図である。
【図１２】（Ａ）本発明におけるメッシュシートの第２変更例を示す平面図、（Ｂ）は（Ａ）のＦ−Ｆ断面矢視図である。
【図１３】（Ａ）本発明におけるメッシュシートの第３変更例を示す平面図、（Ｂ）は（Ａ）のＧ−Ｇ断面矢視図である。
【図１４】（Ａ）〜（Ｄ）本発明における便ポケットの変更例を示す平面図である。
【図１５】（Ａ）〜（Ｄ）本発明における便ポケットの変更例を示す断面図である。
【図１６】図１に示すテープ式の使い捨ておむつの製品状態における断面図である。
【図１７】本発明の変更例であるパンツ型の使い捨ておむつの斜視図である。
【図１８】本発明の他の変更例である失禁パッドの斜視図である。
【図１９】従来の吸収性物品における便ポケット構造を示す断面図である。
【符号の説明】
【００７１】
１００Ｖ１〜１００Ｖ５                    テープ式の使い捨ておむつ（吸収性物品）
１００Ｘ                                  パンツ型の使い捨ておむつ
１００Ｙ                                  失禁パッド
１、１０１                                トップシート
１０１Ｍ                                  （トップシートの）メッシュ領域
２、１０２                                バックシート
３、１０３                                吸収体
１０４                                    おむつ本体
５、１０５、１０５Ｖ１〜１０５Ｖ４        便ポケット
１０６、１０６Ｖ１〜１０６Ｖ４            開口部
１０７、１０７Ｖ１〜１０７Ｖ３            メッシュシート
１０７Ｍ                                  メッシュ領域
１０８                                    ギャザーシート
１０９                                    弾性伸縮部材
１１０                                    立体ギャザー
１１６                                    ファスニングテープ
１１８                                    フロンタルテープ
１１９                                    防水フィルム
【図１】
2006136702.tif 000004
【図２】
2006136702.tif 000005
【図３】
2006136702.tif 000006
【図４】
2006136702.tif 000007
【図５】
2006136702.tif 000008
【図６】
2006136702.tif 000009
【図７】
2006136702.tif 000010
【図８】
2006136702.tif 000011
【図９】
2006136702.tif 000012
【図１０】
2006136702.tif 000013
【図１１】
2006136702.tif 000014
【図１２】
2006136702.tif 000015
【図１３】
2006136702.tif 000016
【図１４】
2006136702.tif 000017
【図１５】
2006136702.tif 000018
【図１６】
2006136702.tif 000019
【図１７】
2006136702.tif 000020
【図１８】
2006136702.tif 000021
【図１９】
2006136702.tif 000022